【手続補正書】
【提出日】平成23年3月1日(2011.3.1)
【手続補正１】
【補正対象書類名】特許請求の範囲
【補正対象項目名】全文
【補正方法】変更
【補正の内容】
【特許請求の範囲】
【請求項１】
少なくとも１つの第１の放電ランプ（Ｌａ１）および第２の放電ランプ（Ｌａ２）を作動させる電子安定器であって、
ブリッジ回路が設けられており、該ブリッジ回路は、少なくとも１つの第１の電子スイッチ（Ｓ２）および第２の電子スイッチ（Ｓ３）を備え、前記ブリッジ回路の入力側は給電直流電圧（Ｕｚｗ）と接続されており、前記ブリッジ回路の出力側は、前記第１の放電ランプ（Ｌａ１）のための第１の端子および前記第２の放電ランプ（Ｌａ２）のための第２の端子と接続されており、前記第１および第２の端子は前記ブリッジ回路の出力側（ＨＢ）において並列に接続されており、
少なくとも１つの第１の点灯装置（Ｌ２，Ｃ３）および第２の点灯装置（Ｌ３，Ｃ４）が設けられており、該第１の点灯装置（Ｌ２，Ｃ３）および第２の点灯装置（Ｌ３，Ｃ４）は、各放電ランプ（Ｌａ１；Ｌａ２）に直列に接続されているそれぞれ１つのインダクタ（Ｌ２；Ｌ３）と、各放電ランプ（Ｌａ１；Ｌａ２）に並列に接続されているそれぞれ１つのキャパシタ（Ｃ３；Ｃ４）とを備えており、
電流測定装置（Ｒ３）が設けられており、該電流測定装置（Ｒ３）は、少なくとも前記第１のインダクタ（Ｌ２）および前記第２のインダクタ（Ｌ３）を流れる全電流の実際値と相関する信号を電流測定装置（Ｒ３）の出力側に供給するように構成されており、
駆動制御回路（１８，２２）が設けられており、該駆動制御回路（１８，２２）は、少なくとも前記第１の電子スイッチ（Ｓ２）および前記第２の電子スイッチ（Ｓ３）を駆動制御するための少なくとも１つの第１および第２の出力側と、前記電流測定装置（Ｒ３）の出力側と接続されている第１の入力側と、少なくとも前記第１のインダクタ（Ｌ２）および前記第２のインダクタ（Ｌ３）を流れる全電流の設定値のために少なくとも１つの第１の閾値を設定する閾値設定装置とを備えており、該第１の閾値を設定値として考慮して少なくとも前記第１の電子スイッチ（Ｓ２）および前記第２の電子スイッチ（Ｓ３）を駆動制御するように構成されている
電子安定器において、
前記電子安定器には、前記放電ランプ（Ｌａ１；Ｌａ２）のうち１つが点灯したか否か検出する点灯検出装置（２０）が設けられており、
前記駆動制御回路（１８，２２）は、前記点灯検出装置（２０）と接続されている第２の入力側を備えており、
前記閾値設定装置は、少なくとも前記第１のインダクタ（Ｌ２）および前記第２のインダクタ（Ｌ３）を流れる全電流の設定値のための第２の閾値を設定するように構成されており、
前記第２の閾値は前記第１の閾値より小さく、
前記駆動制御回路（１８，２２）は、前記点灯検出装置（２０）による前記放電ランプ（Ｌａ１；Ｌａ２）の点灯の検出前は前記第１の閾値を設定値として考慮し少なくとも前記第１の電子スイッチおよび前記第２の電子スイッチを駆動制御し、前記点灯検出装置（２０）による前記放電ランプ（Ｌａ１；Ｌａ２）の点灯の検出後は前記第２の閾値を設定値として考慮して少なくとも前記第１の電子スイッチおよび前記第２の電子スイッチを駆動制御するように構成されていることを特徴とする、
電子安定器。
【請求項２】
前記駆動制御回路（１８，２２，２４）は、少なくとも前記第１のインダクタ（Ｌ２）および前記第２のインダクタ（Ｌ３）を流れる全電流の実際値を該電流の各設定値と比較するように構成されている比較器（２４）を有している、請求項１記載の電子安定器。
【請求項３】
前記点灯検出装置（２０）は、少なくとも第１の端子（Ｅ１）および第２の端子（Ｅ２）に送出される電力と相関する値を求めるように構成されている電力測定装置（２０）を備えている、請求項１または２記載の電子安定器。
【請求項４】
前記駆動制御回路（１８，２２，２４）は、少なくとも前記第１の電子スイッチ（Ｓ２）および前記第２の電子スイッチ（Ｓ３）を駆動制御する信号の周波数の変化によって全電流の実際値を調整するように構成されている、請求項１から３のいずれか１項記載の電子安定器。
【請求項５】
前記駆動制御回路は、前記放電ランプ（Ｌａ１；Ｌａ２）の点灯の検出後に、少なくとも前記第１の電子スイッチ（Ｓ２）および前記第２の電子スイッチ（Ｓ３）を駆動制御する信号の周波数をさらに低下するように構成されている、請求項４記載の電子安定器。
【請求項６】
前記駆動制御回路（１８，２２，２４）は、最大１ｍｓの時間内に前記第１の閾値から前記第２の閾値に切り替えを行うように構成されている、請求項１から５のいずれか１項記載の電子安定器。
【請求項７】
前記第２の閾値は、前記第１の閾値の最大８０％である、請求項１から６のいずれか１項記載の電子安定器。
【請求項８】
電子安定器で少なくとも１つの第１の放電ランプ（Ｌａ１）および第２の放電ランプ（Ｌａ２）を作動させる方法であって、
該電子安定器には、
ブリッジ回路が設けられており、該ブリッジ回路は、少なくとも１つの第１の電子スイッチ（Ｓ２）および第２の電子スイッチ（Ｓ３）を備え、前記ブリッジ回路の入力側は給電直流電圧（Ｕｚｗ）と接続されており、前記ブリッジ回路の出力側は、第１の放電ランプ（Ｌａ１）のための第１の端子（Ｅ１）および第２の放電ランプ（Ｌａ２）のための第２の端子（Ｅ２）と接続されており、前記第１の端子（Ｅ１）および前記第２の端子（Ｅ２）は前記ブリッジ回路の出力側（ＨＢ）において並列に接続されており、
少なくとも１つの第１の点灯装置（Ｌ２，Ｃ３）および第２の点灯装置（Ｌ３，Ｃ４）が設けられており、該第１の点灯装置（Ｌ２，Ｃ３）および第２の点灯装置（Ｌ３，Ｃ４）は、各放電ランプ（Ｌａ１；Ｌａ２）に直列に接続されているそれぞれ１つのインダクタと、各放電ランプ（Ｌａ１；Ｌａ２）に並列に接続されているそれぞれ１つのキャパシタとを備えており、
電流測定装置（Ｒ３）が設けられており、該電流測定装置（Ｒ３）は、少なくとも前記第１のインダクタ（Ｌ２）および前記第２のインダクタ（Ｌ３）を流れる全電流の実際値と相関する信号を出力側に供給し、
駆動制御回路（１８，２２，２４）が設けられており、該駆動制御回路（１８，２２，２４）は、少なくとも前記第１の電子スイッチ（Ｓ２）および前記第２の電子スイッチ（Ｓ３）を駆動制御するための少なくとも１つの第１および第２の出力側と、前記電流測定装置（Ｒ３）の出力側と接続されている第１の入力側と、少なくとも前記第１のインダクタ（Ｌ２）および前記第２のインダクタ（Ｌ３）を流れる全電流の設定値のために少なくとも１つの第１の閾値を設定する閾値設定装置とを備えており、該第１の閾値を設定値として考慮して少なくとも前記第１の電子スイッチ（Ｓ２）および前記第２の電子スイッチ（Ｓ３）を駆動制御するように構成されている
電子安定器で少なくとも１つの第１の放電ランプ（Ｌａ１）および第２の放電ランプ（Ｌａ２）を作動させる方法において、
ａ）前記第１の閾値を設定値として考慮して、少なくとも前記第１および第２の電子スイッチの駆動制御を開始するステップと、
ｂ）ａ）前記放電ランプ（Ｌａ１；Ｌａ２）のうち１つが点灯したか否か連続的に検出するステップと、
ｂ）前記放電ランプ（Ｌａ１；Ｌａ２）の点灯を検出した後、第２の閾値を設定値として考慮して、少なくとも前記第１および第２の電子スイッチを駆動制御するステップとを含んでおり、前記第２の閾値は前記第１の閾値より小さい、
ことを特徴とする、
電子安定器で少なくとも１つの第１の放電ランプ（Ｌａ１）および第２の放電ランプ（Ｌａ２）を作動させる方法。